(57)【特許請求の範囲】
【請求項１】
主面に複数の電極が形成された半導体チップと、この半導体チップの各電極に導電体を介して電気的に接続された複数の接続パッドが対向主面に形成された実装基板と、この実装基板と前記半導体チップとを接合させた電気的絶縁性を有する接合用被膜とを備え、
この接合用被膜が、電極と接続パッドとの電気的接続時における溶融状態の導電体の余剰分を逃がすための少なくとも一筋のスリット状または溝状の逃げ部を有することを特徴とする半導体装置。
【請求項２】
逃げ部は、電極の周辺に形成された環状部と、この環状部の一部から延び、半導体チップの外端縁で外向きに突き抜ける筋状部とからなる請求項１に記載の半導体装置。
【請求項３】
逃げ部は、電極の周辺一部から延び、半導体チップの外端縁で外向きに突き抜ける筋状に形成されてなる請求項１に記載の半導体装置。
【請求項４】
主面に複数の電極を有する半導体チップを形成する半導体チップ形成工程と、
対向主面に複数の接続パッドを有する実装基板を形成する実装基板形成工程と、
実装基板の対向主面に半導体チップの主面を対向させて各電極と各接続パッドとを導電体を介して電気的に接続することにより実装する実装工程とを有する半導体装置の製造方法において、
前記半導体チップ形成工程が、
半導体チップの主面に、実装基板と接合するための電気的絶縁性を有する接合用被膜を形成し、かつこの接合用被膜に、電極と接続パッドとの電気的接続時における溶融状態の前記導電体の余剰分を逃がすためのスリット状または溝状の逃げ部を形成する接合用被膜パターニング工程と、
各電極上に上記導電体を予め球形に形成する球形導電体形成工程とを含み、
前記実装工程が、
接合用被膜を実装基板の対向主面に接合する接合工程を含むことを特徴とする半導体装置の製造方法。
【請求項５】
接合用被膜パターニング工程が、フォトリソグラフィ技法によって行われる請求項４に記載の半導体チップの製造方法。
【請求項６】
接合用被膜パターニング工程が、スクリーン印刷技法によって行われる請求項４に記載の半導体チップの製造方法。
【請求項７】
半導体チップ形成工程は、個々に切り分けられる前のウエハ上で行われる請求項４〜６のいずれか一つに記載の半導体チップの製造方法。
【発明の詳細な説明】
【０００１】
【発明の属する技術分野】
本発明は、電子機器に搭載、内蔵される半導体装置およびその製造方法に関するものであり、特に半導体装置の実装形態に関する。
【０００２】
【従来の技術】
近年、小型携帯電子機器の分野では、内部に搭載される電子部品の小型化、高機能化、高密度実装化が図られている。半導体チップを収納するパッケージにおいても、より小型のものが求められており、チップサイズと等しいかほぼ等しいチップサイズパッケージ（ＣＳＰ）等も小型実装部品の一つとなっている。また、ウエハの状態でパッケージングを行うウエハレベルＣＳＰもその一つとなりつつある。これらＣＳＰと呼ばれるものの多くは、パッケージの面に外部接続用端子として球形のハンダ等の金属ボールを備えているいわゆるボールグリッドアレイ（ＢＧＡ）の一種とされており、ハンダボールを介して実装基板に実装される。また、半導体チップの電極部に、バンプと呼ばれる球形のハンダ等の金属ボールを形成したフリップチップと呼ばれるものもあるが、構造体に外部接続用端子として突起体が設けられている点では上記ＣＳＰと同じである。
【０００３】
上記ウエハレベルＣＳＰの一種について、従来例としてその構造および実装形態を図９〜図１２に示した。図９は従来の半導体チップの主面側から視た平面図であり、図１０は図９のＣ−Ｃ線断面図である。半導体チップ５０は、半導体チップ本体１１を備え、その主面に複数の電極１３が形成されるとともに、各電極１３上にハンダボール５１が形成されている。なお、実際には上記電極１３以外にも、半導体チップ本体１１の主面（回路素子が形成された面）にサイズの小さな図示省略の複数の電極パッドが存在しており、この電極パッドから図示しない再配線が所定位置に再配置された電極１３に導かれており、外部に露出したこの電極１３は二次電極部となっている。そして、図示しない再配線と半導体チップ本体１１とを電気的に分離するために、半導体チップ本体１１の主面に絶縁膜１２が形成されている。また、ハンダボール５１が存在しない絶縁膜１２上の領域および各電極１３の外周縁は絶縁膜５２で覆われており、図示しない再配線の露出およびハンダボ−ル５１同士のブリッジを防ぐ目的で絶縁膜５２が設けられている。
【０００４】
図１１は、従来の半導体チップ５０を実装基板２０に載置した状態を示しており、半導体チップ５０の各ハンダボール５１は、実装基板２０の対向主面に形成された接続パッド２２とハンダペースト２７を介して接着している。なお、実装基板２０の対向主面には、表面保護および実装後のハンダボ−ル５１同士のブリッジ防止を目的として、接続パッド２２の外側領域に環状溝部２４を設けて絶縁性のソルダーレジスト２３が形成されている。
【０００５】
図１２は、図１１で示した状態を熱によるリフローを行うことによりハンダボール５１およびハンダペースト２７が溶融し、後に常温に戻ることで、ハンダボール５１と接続パッド２２が電気的に接続され、さらに、実装後のハンダ接合部の信頼性を高めるために、半導体チップ５０と実装基板２０との間に充填樹脂６０を注入し固めて形成された半導体装置５を示している。このように製造された半導体装置５は、例えば、半導体チップ５０の半導体チップ本体１１の厚さ寸法Ｔ1が０．２mmであり、実装基板２０の基板本体２１の厚さ寸法Ｔ2が０．８mmであり、半導体チップ本体１１と基板本体２１との間の間隔寸法Ｔ3が０．２５mmであり、全体の厚さ寸法ＴはＴ1＋Ｔ2＋Ｔ3＝１．２５mmである。また、チップサイズとしては、１．５〜１０．０mm×１．５〜１０．０mmである。
【０００６】
このように、半導体チップを内蔵しハンダボールが付いた半導体装置およびその実装形態は、特開平５−１４４８１６号公報、特開平６−３３３９８５号公報、特開平７−１２２５９１号公報、特開平１１−８７４２４号公報、特開平１１−１４５３２０号公報、特開２０００−２３６０４２号公報等により、先行技術として開示されている。
【０００７】
【発明が解決しようとする課題】
図９〜図１２で説明した従来の半導体装置５は、ハンダボール５１をある一定の高さに保って半導体チップ５０が実装基板２０に取り付けられている。つまり、先ずはハンダボール５１が半導体チップ５０を実装基板２０に固定する役割を担っているが、振動や曲げ等の機械的ストレスによる接合部の破断を防ぐために、（図１２で説明したように）半導体チップ５０と実装基板２０との間に充填樹脂６０を注入して補強することが必要とされている。この補強行為は、実装後の手間を招くばかりでなく、材料付加分のコスト上昇となっている。また、実装後もハンダボール５１自体に厚みがあるため、半導体装置５全体の実装取付け高さ（厚み寸法Ｔ）がハンダボール分は高くなり、このような実装形態では半導体装置の薄型化に限界があった。
【０００８】
本発明は上記課題に鑑みなされたものであり、生産性の向上および低コスト化を図ることができるとともに、薄型化を実現できる半導体装置およびその製造方法を提供することを目的とする。
【０００９】
【課題を解決するための手段】
上述の目的を達成するために、本発明に係る半導体装置は、主面に複数の電極が形成された半導体チップと、この半導体チップの各電極に導電体を介して電気的に接続された複数の接続パッドが対向主面に形成された実装基板と、この実装基板と前記半導体チップとを接合させた電気的絶縁性を有する接合用被膜とを備え、この接合用被膜が、電極と接続パッドとの電気的接続時における溶融状態の導電体の余剰分を逃がすための少なくとも一筋のスリット状または溝状の逃げ部を有するものである。本発明において、接合用被膜の厚さ寸法は、半導体チップの電極と実装基板の接続パッドが近接した状態で導電体を介して電気的に接続された状態で、半導体チップと実装基板とが接合される寸法とされ、例えば０．０１〜０．０５mmとすることができる。また、この接合用被膜に形成される逃げ部は、実装時に溶融した導電体の余剰分を十分に受容できる大きさ寸法とされ、例えば、幅寸法は０．０５〜０．１mmとすることができ、深さ寸法は０．０１〜０．０５mmとすることができる。
【００１０】
このように構成することによって、半導体チップの実装基板への実装時において、リフローと同時に半導体チップと実装基板とを圧接させる方向に力を加えることにより、溶融した導電体の余剰分が電極と接続パッドとの間からはみ出ても逃げ部に流れ込むので、半導体チップの接合用被膜と実装基板の対向主面との間に溶融した導電体を流入させることなく接合用被膜と対向主面とを確実に密着接合することができる。この際、導電体は電極と接続パッドとの電気的接続を担うものであり、半導体チップの実装基板に対する固定は接合用被膜が大きく担っている。この接合用被膜は、電極と接続パッドとの接合部を振動や曲げ等の機械的ストレスから保護（補強）して、接合部の破断を防止する。したがって、従来の半導体装置（図１２参照）では実装時に実装基板の接続パッド上に必要であったハンダペースト、および実装後の補強用充填樹脂が、本発明では不要であり、コストダウンを図ることができる。かつ本発明では、ハンダペーストの形成工程および充填樹脂の注入工程が削減され、工程数低減による生産性の向上を図ることができる。また、予め電極上に形成されていた球形導電体は実装時に溶融して薄くなるため、半導体装置は全体の厚さ寸法が小さくなって薄型化され、電子機器へ搭載される電子部品のより一層の薄型化（小型化）が可能となる。
【００１１】
また、本発明において、逃げ部は、電極の周辺に形成された環状部と、この環状部の一部から延び、半導体チップの外端縁で外向きに突き抜ける筋状部とからなるものとすれば、実装時において、溶融した導電体の余剰分を電極の周囲に逃がすことができる。つまり、溶融した導電体の余剰分が容易に逃げ部へ流入できる。また、逃げ部へ溶融した導電体が流れ込む過程において、電極近傍の逃げ部に存在していた空気は導電体によって外側へ押出され、この逃げ部の外側端部は外部に開放して空気抜けされているので、内部ボイドの発生が効果的に抑制される。つまり、逃げ部に空気が閉じ込められて内部ボイドが発生すると、その中に水分が溜まり実装過程の熱により気化・膨張して破裂する場合があるが、本発明ではこのような内部ボイドによる生産不良を未然に防止することができる。また、実装前に電極上に予め形成される球形導電体の量（ボリューム）は、溶融した導電体の余剰分が逃げ部から溢れて接合用被膜と実装基板の対向主面との間に流入しない所定量に設定されているが、上述のように導電体の逃げ部への流入を容易にした（すなわち、接合用被膜と対向主面との間に導電体を流入し難くした）ので、球形導電体のボリューム制御が容易となる。
【００１２】
また、本発明において、逃げ部は、電極の周辺一部から延び、半導体チップの外端縁で外向きに突き抜ける筋状に形成されてなるものとすれば、実装時において、溶融した導電体の余剰分は、逃げ部に一方向から流入して空気を押出すので、空気が逃げ部内により閉じ込められ難くなり、内部ボイドをより一層抑制することができる。また、接合用被膜の接合面積を広く確保することができ、半導体チップと実装基板との接合強度を高めることができる。
【００１３】
また、本発明は、別の観点によれば、主面に複数の電極を有する半導体チップを形成する半導体チップ形成工程と、
対向主面に複数の接続パッドを有する実装基板を形成する実装基板形成工程と、
実装基板の対向主面に半導体チップの主面を対向させて各電極と各接続パッドとを導電体を介して電気的に接続することにより実装する実装工程とを有する半導体装置の製造方法において、
前記半導体チップ形成工程が、
半導体チップの主面に、実装基板と接合するための電気的絶縁性を有する接合用被膜を形成し、かつこの接合用被膜に、電極と接続パッドとの電気的接続時における溶融状態の前記導電体の余剰分を逃がすためのスリット状または溝状の逃げ部を形成する接合用被膜パターニング工程と、
各電極上に上記導電体を予め球形に形成する球形導電体形成工程とを含み、
前記実装工程が、
接合用被膜を実装基板の対向主面に接合する接合工程を含む半導体装置の製造方法を提供することができる。
【００１４】
この半導体装置の製造方法によれば、実装時において、半導体チップの各電極と実装基板の各接続パッドとを電気的に接続するのと同時に、半導体チップの接合用被膜と実装基板の対向主面とを密着接合することができる。このとき、溶融した導電体の余剰分が電極と接続パッドとの間からはみ出ても逃げ部に流れ込むので、半導体チップの接合用被膜と実装基板の対向主面との間に溶融した導電体を挟み込むことがない。したがって、従来の半導体装置（図１２参照）では実装時に実装基板の接続パッド上に必要であったハンダペースト、および実装後の充填樹脂が不要であり、コストダウンを図ることができる。かつハンダペーストの形成工程および充填樹脂の注入工程が削減され、工程数低減による生産性の向上を図ることができる。また、予め電極上に形成されていた球形電極は実装時に溶融して高さが低くなるため、半導体装置は全体の厚さ寸法が小さくなって薄型化され、電子機器へ搭載される電子部品のより一層の薄型化（小型化）が可能となる。
【００１５】
また、接合用被膜パターニング工程が、フォトリソグラフィ技法またはスクリーン印刷技法によって行われるようにすれば、複雑なパターン形状の接合用被膜であっても容易に効率よく形成することができて好ましい。
【００１６】
また、半導体チップ形成工程は、生産性の観点から、個々に切り分けられる前のウエハ上で行われるのが好ましい。
【００１７】
【発明の実施の形態】
以下に、本発明の半導体装置およびその製造方法を、図面に基づいて詳しく説明する。なお、本発明はこれに限定されるものではない。
【００１８】
［実施の形態１］
本発明の実施の形態１に係る半導体装置を図１〜図４を参照しながら説明する。図１は本発明の実施の形態１に係る半導体装置に使用される実装前の半導体チップを主面側から視た平面図であり、図２は図１のＡ−Ａ線断面図であり、図３は同実施の形態１における半導体チップを実装基板に載置したリフロー前の状態を示す断面図であり、図４は同実施の形態１における半導体チップを実装基板に実装してなる半導体装置の断面図である。なお、図１〜図４において、図９〜図１２で説明した従来技術と同一の要素には同一の符号を付している。
【００１９】
図４に示すように、本発明の半導体装置１は、主面に複数の電極１３が形成された半導体チップ１０と、この半導体チップ１０の各電極１３に導電体１５を介して電気的に接続される複数の接続パッド２２が主面に形成された実装基板２０とを備えている。なお、実装基板２０は、図９〜図１２で説明した従来品と同一のものであるため、その説明を省略する。
【００２０】
この半導体装置１に使用される実装前の半導体チップ１０を図１と図２から説明する。半導体チップ１０は、半導体チップ本体１１を備え、この半導体チップ本体１１の主面（回路素子が形成された面）には図示しない複数の電極パッドが形成されている。そして、これら各電極パッドから図示しない再配線が上記各電極１３に導かれており、この電極１３は再配置された二次電極部となっている。そして、再配線と半導体チップ本体１１とを電気的に分離するために、半導体チップ本体１１の主面に絶縁膜１２が形成されている。また、各電極１３上には、半田、金等からなる球形導電体１５ａが形成されている。なお、半導体チップ１０の上記構成は（図９〜図１２で説明した）従来技術と同様である。
【００２１】
この半導体チップ１０の従来技術と異なる点は、半導体チップ１０の絶縁膜１２における電極１３の外側領域に、実装基板２０と電気的に絶縁された状態で接合（接着）するための接合用被膜１４が形成されるとともに、電極１３と接続パッド２２との電気的な接続時における溶融状態の導電体１５の余剰分を逃がすための逃げ部１６が接合用被膜１４に形成されたことである。接合用被膜１４の主たる役割は、半導体チップ１０を実装基板２０に密着接合することであるが、上述した再配線の外部露出防止および導電体１５同士のブリッジ防止のためにも働く。
【００２２】
接合用被膜１４は、後述する製造過程においてフォトリソグラフィ技法またはスクリーン印刷技法によって形成されたものである。接合用被膜１４は、フォトリソグラフィ技法により形成される場合では、絶縁性および感光性を有するブロック共重合ポリイミド系樹脂からなり、スクリーン印刷技法により形成される場合では、絶縁性を有するブロック共重合ポリイミド系樹脂からなる。フォトリソグラフィ技法では、半導体チップの主面全域に上記樹脂を塗布し、レチクル等のガラスマスクを使用して露光した後現像することでパターニングを行う。また、スクリーン印刷技法では、上記樹脂そのものを孔の開いたマスクを使用して印刷することでパターニングを行う。これら樹脂は既にイミド化されており、２５０℃以下の温度で硬化させることが可能で、いずれの場合も接合用被膜１４はパターニング直後に硬化しておらず、実装時の熱で被膜１４が溶融して実装基板２０の対向主面（この場合ソルダーレジスト２３の表面）に接着し、冷却して被膜１４が硬化して対向主面に強固に接合する。
【００２３】
逃げ部１６は、電極１３の周辺部に形成されて溶融した導電体１５の余剰分を流し込むための環状部１６ａと、この環状部１６ａの一部から延びて半導体チップ本体１１の外端縁にて端部が外向きに開放する空気抜け用の筋状部１６ｂとからなり、接合用被膜１４の厚み分の深さを有するスリット状に形成されている。この逃げ部１６は、各電極１３毎に個別に設けられている。
【００２４】
次に、この実施の形態１の半導体装置の製造方法および製造過程における作用等について、図１〜図４を参照しながら説明する。
この半導体装置１の製造工程は、上記構成の半導体チップ１０を形成する半導体チップ形成工程と、上記構成の実装基板２０を形成する実装基板形成工程と、実装基板２０の対向主面に半導体チップ１０の主面を対向させて各電極１３と各接続パッド２２とを導電体１５を介して電気的に接続することにより実装する実装工程とを有している。なお、実装基板形成工程は従来と同様の方法にて行われるため、その説明を省略する。
【００２５】
上記半導体チップ形成工程は、個々に切り出される前のウエハ状態で行われる。この工程において、半導体チップ１０の主面に設けられる複数の電極１３、各電極１３上の球形導電体１５ａ、絶縁膜１２、図示しない電極パッドおよびこれと電極１３とを結線する図示しない再配線は、一般的な公知技術により形成される。
【００２６】
さらに、半導体チップ形成工程においては、この後に、半導体チップ１０の主面（ウエハ上）における各電極１３の外側領域に接合用被膜１４を形成し、かつ接合用被膜１４に逃げ部１６を形成する接合用被膜パターニング工程が行われる。この接合用被膜パターニング工程は、公知技術であるフォトリソグラフィ技法またはスクリーン印刷技法をもってウエハ状態で一括して行われる。簡単に説明すると、フォトリソグラフィ技法による場合は、その一例としては、上述した樹脂を絶縁膜１２上に塗布し、各電極１３および各逃げ部１６に対応する領域をマスキングして、露光し、その後現像して上記領域部分の樹脂を除去することにより、逃げ部１６を有する接合用被膜１４を形成する。また、スクリーン印刷技法による場合は、各電極１３および各逃げ部１６に対応する領域をマスキングして、それ以外の領域に上述した樹脂を塗布することにより、逃げ部１６を有する接合用被膜１４を形成する。実施の形態１において、この接合用被膜１４の厚さ寸法Ｔ0は０．０３mmである。また、逃げ部１６において、環状部１６ａの幅寸法Ｗ1は０．０５mmであり、筋状部１６ｂの幅寸法Ｗ2は０．０５mmである。なお、逃げ部１６はスリット状であるため、その深さ寸法は接合用被膜１４の厚さ寸法Ｔ0と同寸法である。
【００２７】
半導体チップ形成工程における接合用被膜パターニング工程の後、各電極１３上に球形導電体１５ａを形成する球形導電体形成工程が行われる。この工程においては、各球形導電体１５ａが所定量（所定の大きさ）となるようにボリューム制御が行われる。つまり、半導体チップの実装基板への実装工程において、球形導電体１５ａが溶融して電極１３上から逃げ部１６に流れ出た余剰分が接合用被膜１４と実装基板２０の主面（ソルダーレジスト２３の表面）との間に溢れ出ないように、球形導電体１５ａが所定量に調整される。なお、このようにしてウエハ状態での半導体チップ形成工程が終了すれば、ダイシングブレード等による公知技術を用いて、ウエハを図１に示すような個々のチップ単位に切り分ける工程が行われる。
【００２８】
その後、半導体チップ１０の各電極１３と実装基板２０の各接続パッド２２とを導電体１５を介して電気的に接続することにより実装する実装工程が行われるが、本発明においては、この実装工程が、接合用被膜１４を実装基板２０の対向主面（ソルダーレジスト２３の表面）に接合する接合工程を含んでいる。つまり、実装工程と接合工程がほぼ同時に行われる。具体的に説明すると、図３に示すように、先ず、実装基板２０の対向主面に半導体チップ１０の主面を対向させて、各球形導電体１５ａを各接続パッド２２に載置する。そして、この状態で例えば２３０〜２６０℃で加熱して各球形導電体１５ａを溶融し、半導体チップ１０を実装基板２０に押付けることにより、図４に示すように、接合用被膜１４と実装基板２０のソルダーレジスト２３とが接着し、かつ溶融した導電体１５の余剰分が電極１３と接続パッド２２の間からはみ出して、電極１３と接合用被膜１４との間の逃げ部１６および接続パッド２３とソルダーレジスト２３との間の溝部２４によって形成された環状の空間部に流入する。そして、導電体１５を冷却固化させるとともに、接合用被膜１４を硬化させて、導電体１５にて各電極１３と各接続パッド２２とが電気的に接続し、かつ接合用被膜１４がソルダーレジスト２３に強固に密着接合した半導体装置１が得られる。なお、上記逃げ部１６と溝部２４とによって形成された空間部に溶融した導電体１５が流れ込む過程において、空間部に存在していた空気は、流入してきた導電体１５によって逃げ部１６の筋状部１６ｂに押出される（図１参照）。したがって、実装過程における熱で残留空気中の水分が気化・膨張して破裂するという、内部ボイドによる生産不良が防止される。
【００２９】
このようにして製造された実施の形態１の半導体装置１は、半導体チップ１０の半導体チップ本体１１の厚さ寸法Ｔ1が０．２mmであり、実装基板２０の基板本体２１の厚さ寸法Ｔ2が０．８mmであり、半導体チップ本体１１と基板本体２１との間の間隔寸法Ｔ3が０．０３mmであり、全体の厚さ寸法ＴはＴ1＋Ｔ2＋Ｔ3＝１．０３mmである。また、チップサイズとしては、１．５〜１０．０mm×１．５〜１０．０mmである。つまり、図１２で説明した従来の半導体装置５に比して、本発明は半導体チップ本体１１と基板本体２１との間隔寸法Ｔ3が小さくなっている。本発明によれば、リフロー時に球形導電体１５ａをほぼ完全に溶融して半導体チップ１０を実装基板２０に押付け、その際横に広がった導電体１５の余剰分を逃げ部１６に流し込み、かつ接合用被膜１４を実装基板２０の対向主面（ソルダーレジスト２３の表面）に接着し硬化して接合させるので、実装後の半導体チップ本体１１と基板本体２１との間隔寸法Ｔ3を小さく抑えることができ、薄型の半導体装置１を得ることができる。
【００３０】
また、本発明では、導電体１５は電極１３と接続パッド２２との電気的接続を担うものであり、半導体チップ１０と実装基板２０との機械的接合は接合用被膜１４が大きく担っている。そのため、本発明では、従来の半導体装置５（図１２参照）では実装時に実装基板２０の接続パッド２２上に必要であったハンダペースト２７、および振動や曲げ等の機械的ストレスによる電極１３と接続パッド２２との接合部の破断を防止するための補強用の充填樹脂６０が不要であり、材料削減によるコストダウンを図ることができるとともに、ハンダペースト形成工程および充填樹脂注入工程が削減され、工程数低減による生産性の向上を図ることができる。
【００３１】
［実施の形態２］
次に、図５〜図８を参照しつつ発明の実施の形態２に係る半導体装置を説明する。図５は本発明の実施の形態２に係る半導体装置に使用される実装前の半導体チップを主面側から視た平面図であり、図６は図５のＢ−Ｂ線断面図であり、図７は同実施の形態２における半導体チップを実装基板に載置したリフロー前の状態を示す断面図であり、図８は同実施の形態２における半導体チップを実装基板に実装してなる半導体装置の断面図である。
【００３２】
この実施の形態２の半導体装置２は、実施の形態１（図１参照）において、接合用被膜のパターン形状が異なるものである。その他の構成は同様であり、同一の要素には同一の符号を付してその説明を省略する。すなわち、実施の形態２における半導体チップ３０は、その接合用被膜３４が、各電極１３の外側領域および各電極１３の外周縁を一部を残して被覆するように形成されている。そして、逃げ部３６は、電極１３の外周縁における接合用被膜３４が被覆されていない部分（前記一部）から延びて半導体チップ１１の外端縁にて端部が外向きに開放する筋状に形成されている。つまり、この逃げ部３６は、図１で説明した実施の形態１における逃げ部１６の環状部１６ａが省略されたものであり、溶融した導電体１５の余剰分の流し込みと空気抜けの両方を兼ねている。実施の形態２において、この接合用被膜１４の厚さ寸法Ｔ0は０．０３mmである。また、逃げ部１６において、幅寸法Ｗ2は０．０５mmであり、深さ寸法は接合用被膜１４の厚さ寸法Ｔ0と同寸法である。
【００３３】
この実施の形態２の半導体装置２の製造方法は、接合用被膜３４のパターン形状が実施の形態１とは異なるだけであり、実施の形態１と同様にして製造することができる。この場合、図７と図８に示すように、実装工程において、溶融した導電体３５が、接合用被膜３４および接続パッド２２とソルダーレジスト２３との間の溝部２４によって形成された環状の空間部へ流れ込む。この環状の空間部は逃げ部３６と連通しており、環状の空間部に存在していた空気は流れ込んだ導電体３５によって逃げ部３６へと押出され、それによって内部ボイドが抑制され、内部ボイドによる生産不良が防止される。この実施の形態２の半導体装置２は、半導体チップ本体１１と基板本体２１との間の間隔寸法Ｔ3が０．０３mmであり、従来品（図１２参照）に比して全体の厚さ寸法Ｔが１．０３mmと小さく薄型化が図られている。
【００３４】
［他の実施の形態］
１．上記実施の形態１、２では、半導体チップに設けられた接合用被膜は一層構造の場合を例示したが、一層構造に限定されることはなく、表面に接着効果があればよいので、絶縁多層構造として上記樹脂の層とするのもよい。また、接合用被膜を多層構造とした場合、逃げ部は、  表面側の樹脂層の厚み分を削除した溝状に形成してもよい。
２．上記実施の形態１では、逃げ部１６は、１個の環状部１６ａに１本の筋状部１６ｂが連通したもの（図１参照）であったが、１個の環状部１６ａに対して複数本（２本、３本あるいは４本以上）の筋状部１６ｂを等間隔に設けたものであってもよく、それによって実装時の内部ボイドをより一層抑制することができる。
３．上記実施の形態２では、１個の電極１３に対して１本の逃げ部３６が設けられた場合を例示したが、１個の電極１３に対して複数本（２本、３本あるいは４本以上）の逃げ部３６を等間隔に設けるようにしてもよく、それによって実装時の内部ボイドをより一層抑制することができる。
【００３５】
【発明の効果】
本発明は以上のように構成されているので、半導体チップの実装基板への実装時において、リフローと同時に半導体チップと実装基板とを圧接させる方向に力を加えることにより、溶融した導電体の余剰分が電極と接続パッドとの間からはみ出ても逃げ部に流れ込むので、半導体チップの接合用被膜と実装基板の対向主面との間に溶融した導電体を流入させることなく接合用被膜と対向主面を確実に密着接合することができる。この際、半導体チップの実装基板に対する固定は接合用被膜が大きく担っているため、電極と接続パッドとの接合部が補強されて振動や曲げ等の機械的ストレスによる破断が防止される。したがって、従来の半導体装置（図１２参照）では実装時に実装基板の接続パッド上に必要であったハンダペースト、および実装後の充填樹脂が不要であり、コストダウンを図ることができる。かつハンダペーストの形成工程および充填樹脂の注入工程が削減され、工程数低減による生産性の向上を図ることができる。また、予め半導体チップの電極上に形成されていた球形電極は実装時に溶融して高さが低くなるため、半導体装置は全体の厚さ寸法が小さくなって薄型化され、電子機器へ搭載される電子部品のより一層の薄型化（小型化）が可能となる。
【図面の簡単な説明】
【図１】本発明の実施の形態１に係る半導体装置に使用される実装前の半導体チップを主面側から視た平面図である。
【図２】図１のＡ−Ａ線断面図である。
【図３】同実施の形態１における半導体チップを実装基板に載置したリフロー前の状態を示す断面図である。
【図４】同実施の形態１における半導体チップを実装基板に実装してなる半導体装置の断面図である。
【図５】本発明の実施の形態２に係る半導体装置に使用される実装前の半導体チップを主面側から視た平面図である。
【図６】図５のＢ−Ｂ線断面図である。
【図７】同実施の形態２における半導体チップを実装基板に載置したリフロー前の状態を示す断面図である。
【図８】同実施の形態２における半導体チップを実装基板に実装してなる半導体装置の断面図である。
【図９】従来の半導体チップの主面側から視た平面図である。
【図１０】図９のＣ−Ｃ線断面図である。
【図１１】従来の半導体チップを実装基板に載置したリフロー前の状態を示す断面図である。
【図１２】従来の半導体チップを実装基板に実装してなる半導体装置の断面図である。
【符号の説明】
１０、３０  半導体チップ
１３   電極
１４、３４    接合用被膜
１５、３５    導電体
１６、３６    逃げ部
２０   実装基板
２２   接続パッド
【図１】
0003850755.tif 000002
【図２】
0003850755.tif 000003
【図３】
0003850755.tif 000004
【図４】
0003850755.tif 000005
【図５】
0003850755.tif 000006
【図６】
0003850755.tif 000007
【図７】
0003850755.tif 000008
【図８】
0003850755.tif 000009
【図９】
0003850755.tif 000010
【図１０】
0003850755.tif 000011
【図１１】
0003850755.tif 000012
【図１２】
0003850755.tif 000013